(57)【要約】【課題】本発明は、１種類の間仕切り用本体部を、対に使うことで、平面的に見て直線的又はアングル的に使用することができ、極めて応用性に優れると共に、格安に提供できること。【解決手段】断面直角二等辺三角形をなし、直角を囲む二辺なる直角面１１，１２の何れか一面の長手方向に、ガラス板又はベニヤ板などの板材４の嵌め込み用の板取付溝２が形成されていること。直角二等辺三角形の斜辺面１３には、溝としての等辺のＬ形部３が形成されて間仕切り柱本体部Ａとしてなること。【選択図】      図１
2011236576.tif 000002
【特許請求の範囲】
【請求項１】
断面直角二等辺三角形をなし、直角を囲む二辺なる直角面の何れか一面の長手方向に、ガラス板又はベニヤ板などの板材の嵌め込み用の板取付溝が形成され、直角二等辺三角形の斜辺面には、溝としての等辺のＬ形部が形成されて間仕切り柱本体部としてなることを特徴とする間仕切り用柱。
【請求項２】
請求項１において、前記Ｌ形部の断面の倍の正方形断面のブロック片が備えられてなることを特徴とする間仕切り用柱。
【請求項３】
請求項１又は２において、前記直角を囲む二辺の隅角部内に空隙孔が、前記斜辺面の左右側に溝部がそれぞれ形成されてなり、間仕切り柱本体部の下端に該間仕切り柱本体部の一辺を正方形としたベース座が備えられていることを特徴とする間仕切り用柱。
【請求項４】
請求項１，２又は３の何れか１項において、１対の前記間仕切り柱本体部と下側アジャスター座及び上側アジャスター座とからなる間仕切り用柱。
【請求項５】
請求項１において、前記Ｌ形部の上下に適宜取付用のＬ型取付具を備えてなることを特徴とする間仕切り用柱。
【請求項６】
断面直角二等辺三角形をなし、直角を囲む二辺なる直角面の何れも長手方向に、ガラス板又はベニヤ板などの板材の嵌め込み用の板取付溝がそれぞれ形成され、直角二等辺三角形の斜辺面には、溝としての等辺のＬ形部が形成されて間仕切り柱本体部としてなり、前記板取付溝を適宜塞ぐキャップ材が設けられてなることを特徴とする間仕切り用柱。
【請求項７】
請求項１，２，３，４，５又は６の何れか１項の間仕切り用柱と、上下の横桟と板材とからなることを特徴とする間仕切りパネル。
【発明の詳細な説明】
【技術分野】
【０００１】
本発明は、１種類の間仕切り用本体部を、対に使うことで、平面的に見て直線的又はアングル的に使用することができ、極めて応用性に優れると共に、格安に提供できる間仕切り用柱及び間仕切りパネルに関する。
【背景技術】
【０００２】
従来より、間仕切り用柱は、左右側のパネル又はガラス板が平行に設置されるタイプと、左右側が直角に設置されるタイプの最低２種類の柱が必要であった。また、特許文献１では、間仕切り用のボードに対して間仕切り柱として角型紙管１２ａと、コ字形チャンネル材１２ｂとからなり、これを数種類で構成し、この間仕切り柱を用いて間仕切りを構成している。
【０００３】
さらに、特許文献２では、断面直角三角形状をなした主要部と、その斜辺部としての底面Ｗにパネル取付部４を有するタイプと、単なるフラット部とからなる２種類の構成部材からなる間仕切り柱が開示されている。この２つの部材にて、左右側のパネル又はガラス板が平行に設置される構成や、左右側が直角に設置される構成の間仕切りができるのみならず、放射方向に４方向でも可能であることが開示されている。
【０００４】
特許文献２では、あらゆるパターンの構成が可能であるが、構成が複雑化する欠点があった。特に、パネル取付部箇所に、パネル又はガラス板を取付けようとすると、断面直角三角形状部とパネル又はガラス板との取付が面倒となる不都合があった。
【先行技術文献】
【特許文献】
【０００５】
【特許文献１】特開平８−３０２８６８
【特許文献２】特開２００９−１３８４３１
【発明の概要】
【発明が解決しようとする課題】
【０００６】
そこで、本発明が解決しようとする課題（技術的課題又は目的等）は、左右側のパネル又はガラス板が平行に設置される構成や、左右側が直角に設置される構成の間仕切りが簡単にできるのみならず、構成が簡単な間仕切り用柱及び間仕切りパネルの提供を実現することである。
【課題を解決するための手段】
【０００７】
そこで、発明者は上記課題を解決すべく鋭意，研究を重ねた結果、請求項１の発明を、  断面直角二等辺三角形をなし、直角を囲む二辺なる直角面の何れか一面の長手方向に、ガラス板又はベニヤ板などの板材の嵌め込み用の板取付溝が形成され、直角二等辺三角形の斜辺面には、溝としての等辺のＬ形部が形成されて間仕切り柱本体部としてなることを特徴とする間仕切り用柱としたことにより、前記課題を解決した。
【０００８】
請求項２の発明を、請求項１において、前記Ｌ形部の断面の倍の正方形断面のブロック片が備えられてなることを特徴とする間仕切り用柱としたことにより、前記課題を解決した。請求項３の発明を、請求項１又は２において、前記直角を囲む二辺の隅角部内に空隙孔が、前記斜辺面の左右側に溝部がそれぞれ形成されてなり、間仕切り柱本体部の下端に該間仕切り柱本体部の一辺を正方形としたベース座が備えられていることを特徴とする間仕切り用柱としたことにより、前記課題を解決した。
【０００９】
請求項４の発明を、請求項１，２又は３の何れか１項において、１対の前記間仕切り柱本体部と下側アジャスター座及び上側アジャスター座とからなる間仕切り用柱としたことにより、前記課題を解決した。請求項５の発明を、請求項１において、前記Ｌ形部の上下に適宜取付用のＬ型取付具を備えてなることを特徴とする間仕切り用柱としたことにより、前記課題を解決した。
【００１０】
請求項６の発明を、断面直角二等辺三角形をなし、直角を囲む二辺なる直角面の何れも長手方向に、ガラス板又はベニヤ板などの板材の嵌め込み用の板取付溝がそれぞれ形成され、直角二等辺三角形の斜辺面には、溝としての等辺のＬ形部が形成されて間仕切り柱本体部としてなり、前記板取付溝を適宜塞ぐキャップ材が設けられてなることを特徴とする間仕切り用柱としたことにより、前記課題を解決した。請求項７の発明を、請求項１，２，３，４，５又は６の何れか１項の間仕切り用柱と、上下の横桟と板材とからなることを特徴とする間仕切りパネルとしたことにより、前記課題を解決したものである。
【発明の効果】
【００１１】
請求項１の発明においては、１種類の間仕切り用柱のみで、これを対に使うことで、平面的に見て左右側の板材を直線的又はアングル的に使用することができ、極めて応用性に優れると共に、格安に提供できる利点がある。また、費用的にも格安にできる大きな意味がある。請求項２の発明では、前記間仕切り柱本体部を対にするときに、センター合わせ的なことができ、施工性が優れたものにできる。
【００１２】
請求項３の発明では、ベース座の存在によって、より安定した間仕切り用柱を提供できる効果がある。請求項４の発明では、下側アジャスター座及び上側アジャスター座を設けたことで、より整然とした施工ができる効果がある。請求項５の発明では、極めて簡易且つ迅速に間仕切りを提供できる最大の効果がある。請求項６の発明では、断面直角二等辺三角形をなすが、板取付溝が２箇所形成され、この板取付溝には、使わないときには、キャップ材にて溝を塞ぐように構成されている。請求項７の発明では、簡易且つ迅速に、適宜な間仕切りを構成させることができる効果がある。
【図面の簡単な説明】
【００１３】
【図１】（Ａ）は本発明の第１実施形態にて施工した間仕切りの略示平面図、（Ｂ）は（Ａ）の（ア）部拡大断面図、（Ｃ）は（Ａ）の（イ）部拡大断面図、（Ｄ）は主要部材の斜視図である。
【図２】（Ａ）は本発明の第１実施形態の主要部材の分解斜視図、（Ｂ）は間仕切り柱本体部をＰ線箇所の面で反転した状態の状態斜視図である。
【図３】（Ａ）乃至（Ｄ）は本発明の第１実施形態にて施工した間仕切りの例を示す略示平面図である。
【図４】（Ａ）は間仕切りとして施工した一部断面とした正面図、（Ｂ）は（Ａ）の（ウ）部拡大図である。
【図５】（Ａ）は図４（Ａ）の（エ）部拡大図、（Ｂ）は（Ａ）の右側箇所の柱の中心側から見た斜視図、（Ｃ）は（Ａ）の右側箇所の柱の外側から見た斜視図、（Ｄ）は図４（Ａ）の（オ）部拡大図、（Ｅ）は（Ｄ）の右側箇所の柱の中心側から見た斜視図、（Ｆ）は（Ｄ）の右側箇所の柱の外側から見た斜視図である。
【図６】（Ａ）は図４（Ａ）の（カ）部拡大図、（Ｂ）は（Ａ）の右側箇所の柱の中心側から見た斜視図、（Ｃ）は（Ａ）の右側箇所の柱の外側から見た斜視図である。
【図７】（Ａ）は簡易な間仕切りを構成するための間仕切り柱本体部箇所の斜視図、（Ｂ）は１型又は２型の板材付き間仕切り柱本体部の一部斜視図である。
【図８】（Ａ）は本発明の第２実施形態による間仕切り柱本体部を合わせて施工した間仕切りの略示平面図、（Ｂ）は（Ａ）の（キ）部拡大断面図、（Ｃ）は（Ａ）の（ケ）部拡大断面図、（Ｄ）は（Ｃ）の（ケ）部拡大分解図である。
【発明を実施するための形態】
【００１４】
以下、本発明の実施形態について図面に基づいて説明すると、本発明の第１実施形態は図１乃至図７に示されている。図１乃至図２は本発明の間仕切り用柱を示すものであって、主要部材は、１対の間仕切り柱本体部Ａ，Ａにて構成されている。また、必要に応じて、ブロック片５、ベース座６などが使用される。前記間仕切り柱本体部Ａの断面は、直角二等辺三角形をなし、直角を囲む二辺なる直角面１１，１２と斜辺面１３から構成されている。前記直角面１１には、長手方向に沿って、ガラス板又はベニヤ板などの板材４をはめ込む板取付溝２が形成されている。
【００１５】
他方の直角面１２の内面側から前記板取付溝２箇所まで空隙孔１２ａが形成されると共に、直角を囲む二辺なる隅角箇所内には、Ω形断面の空隙孔１１ａが形成されている。前記斜辺面１３の左右側には、内方に食い込むようなΩ形断面の溝部１３ａ，１３ａがそれぞれ形成されている。また、前記斜辺面１３の中央には、直角二等辺となったＬ形部３としての溝が形成されている。このような構成の間仕切り柱本体部Ａは、アルミニウム製にて型抜き形成され、間仕切り用柱としては、この２本が対となって、前記斜辺面１３，１３相互が面接合して、断面正方形となるようにして用いられる。
【００１６】
また、前記空隙孔１１ａと両溝部１３ａ，１３ａは、平面的に見た位置は、前記間仕切り柱本体部Ａの断面としての直角二等辺三角形が相似形として縮小された位置に設けられている。前記板材４は、ガラス板又はベニヤ板が使用されるが、本発明では、主にガラス板４ａが用いられる。該ガラス板４ａの場合には、ガラスパッキン４ｂを介して前記板取付溝２に挿入されている。間仕切り単位体としては、図１（Ａ）下側右に示すように、前記板材４の左右側に、前記間仕切り柱本体部Ａ，Ａが点対象的に設置されたタイプを１型とし、図１（Ａ）下側左に示すように、前記間仕切り柱本体部Ａ，Ａが対向するように設置されたタイプを２型とする。図１（Ａ）に示すような閉鎖した間仕切りでは、１型、２型で構成されている。
【００１７】
特に、簡易タイプの間仕切りでは、図７（Ａ）に示すように、前記間仕切り柱本体部Ａの上下のＬ形部３，３に、Ｌ形取付具８１，８１を介して床部及び天井部にビス８ａ等にて固着されている。そして、図７（Ｂ）に示す１型又は２型の間仕切りパネル（単位体）を取り付けて間仕切りを仕上げる。このときの取付は、前記間仕切り柱本体部Ａ，Ａの斜辺面１３，１３相互が面接合してビス等で固定されている。さらに、前記間仕切りパネルに直接にＬ形取付具８１，８１を取り付けることもある。
【００１８】
また、前記ブロック片５は、図２（Ａ）に示すように、断面正方形をなし、各辺の長さは、前記間仕切り柱本体部ＡのＬ形部３の一辺の長さと一致しており、前記間仕切り柱本体部Ａ，Ａが接合したときのＬ形部３，３の空隙部と同一形状をなすように形成されている。該Ｌ形部３には、この面より前記間仕切り柱本体部Ａの直角面１１，１２に通じる貫孔３ａが適宜形成されている。さらに、前記ブロック片５にも、前記貫孔参ａに通じる貫孔５ａが形成されている。
【００１９】
前記ベース座６は、図１（Ｄ）又は図２（Ａ）に示すように、平面から見て、断面正方形をなし、その一辺の長さは、前記間仕切り柱本体部Ａの直角を囲む二辺の一辺の長さと一致している。その底面側からの筒状溝６１が形成され、その中心の棒状部６２には、ネジ孔６３が螺設されている。前記ベース座６の高さは、比較的高く形成され、底面側から上面に、前記間仕切り柱本体部Ａの空隙孔１１ａと両溝部１３ａ，１３ａ位置に対応するように貫通孔６ａ，６ｂ，６ｂがそれぞれ形成されている。
【００２０】
さらに、前記ベース座６の貫通孔６ａの対角線上に、貫通孔６ｃが設けられている。現場に持ち込むさいなどの通常状態においては、貫通孔６ａ，６ｂ，６ｂを介して１つの前記間仕切り柱本体部Ａの空隙孔１１ａと両溝部１３ａ，１３ａとがネジ又はビス等止め具ｆにて固着されている。そして、現場などで、他の側の前記間仕切り柱本体部Ａが使用されたときに、貫通孔６ｃを介してネジ又はビス等の止め具ｆにて固着される。
【００２１】
前記間仕切り柱本体部Ａには、ビスにてブロック片５の貫孔５ａ，３ａを介したり、或いはブロック片５を介さないで横桟９１又は細桟９２が固着されている。前記横桟９１には、下側又は上側に板取付溝９１ａが形成され、内部には空隙が形成されると共に、上下にビス止めするためのΩ部９１ｂ，９１ｂが形成され、アルミニウムにて引き抜き加工されている。また、細桟９２には、上下に板取付溝９２ａ，９２ａがそれぞれ形成され、内部には空隙が形成されると共に、略中央にビス止めするためのΩ部９２ｂが形成され、アルミニウムにて引き抜き加工されている。
【００２２】
前記ベース座６を使う場合は、下側アジャスター座７Ａ及び上側アジャスター座７Ｂが使用される。前記下側アジャスター座７Ａには、板座７１の中央位置に柱状のボルト７２が立設されている。該ボルト７２が前記ベース部６のネジ孔６３に螺合し、高さ調整される。また、前記ボルト７２は必要に応じて、前記ブロック片５のネジ穴に螺合する。さらに、上側アジャスター座７Ｂの板座７４の中央位置に柱状のボルト７５が垂下状に設けられている。該ボルト７２が前記ブロック片５のネジ穴に螺合する。このとき、カラー７３を使用する。
【００２３】
間仕切り施工の際には、図４（Ａ）及び（Ｂ）に示すように、適宜施工する。特に、図４（Ｂ）において、天井高さなどを考慮して、下側アジャスター座７Ａ及び上側アジャスター座７Ｂを調整して施工する。さらに、詳細な施工については、図４（Ａ）の（エ）箇所〔５図（Ａ），（Ｂ）及び（Ｃ）参照〕、図４（Ａ）の（オ）箇所〔５図（Ｄ），（Ｅ）及び（Ｆ）参照〕、さらには、図４（Ａ）の（カ）箇所〔６図（Ａ），（Ｂ）及び（Ｃ）参照〕などに示すようにして施工する。図４（Ａ）の８２は、断面長方形形断面の補強部材である。
【００２４】
特に、図１（Ｂ）のガラス板４ａ，４ａなどの板材の板取付溝２，２が直線方向の場合を、図１（Ｃ）の板取付溝２，２のように断面アングル状にするには、図２（Ｂ）に示すように、傾斜面１３と平行な適宜な平面Ｐ上において反転させることで簡単にできる。すなわち、同図の左側の間仕切り柱本体部Ａを反転させると、前記板取付溝２の方向が約９０度変化して、同図の右側の間仕切り柱本体部Ａのように断面アングル状に瞬時に換えることができる。つまり、極めて短時間に、図１（Ｂ）の板取付溝２，２が直線方向の場合を、図１（Ｃ）の板取付溝２，２のように断面アングル状にしたり、或いはこの逆にできる。
【００２５】
図８に示したものは、本発明の第２実施形態である。つまり、間仕切り柱本体部Ｂは、断面直角二等辺三角形をなし、直角を囲む二辺なる直角面１１，１２の何れも長手方向に、ガラス板又はベニヤ板などの板材をはめ込み用の板取付溝２，２がそれぞれ形成されている。他の構成は、前記間仕切り柱本体部Ａと同一であり、説明を省略する。特に、間仕切り柱本体部Ｂの場合には、キャップ材Ｃが備えられている。
【００２６】
図８（Ａ）に示すような間仕切りが構成され、区切り間仕切りが複数形成された場合に間仕切り柱本体部Ｂは使用される。図８（Ａ）の（キ）箇所では、十字方向に板材の板取付溝２が形成されている場合であり、図８（Ａ）の（ク）箇所では、三方向に板材の板取付溝２が形成されている場合である。他の柱箇所の殆どは、間仕切り柱本体部Ａが使用される。
【００２７】
前記キャップ材Ｃは、図８（Ｄ）に示すように、断面π字状をなしている。このキャップ材Ｃは、図８（Ａ）の（ク）箇所であって、図８（Ｃ）箇所のような場合に、板材４が挿入されない板取付溝２を覆う役割をなす。図８（Ｃ）箇所のような場合には、間仕切り柱本体部Ａ及びＢにて施工することが多い。このように施工する間仕切り柱本体部Ｂは、図８（Ａ）に示すように、必要な箇所に使用し、他の箇所は、間仕切り柱本体部Ａを使用することもある。場合によっては、全てを間仕切り柱本体部Ｂとキャップ材Ｃにて施工されることもある。
【符号の説明】
【００２８】
Ａ，Ｂ…間仕切り柱本体部、１１，１２…直角面、１１ａ…空隙孔、１３…斜辺面、
１３ａ…溝部、２…板取付溝、３…Ｌ形部、４…板材、４ａ…ガラス板、
５…ブロック片、８１…Ｌ形取付具、９１…横桟、７Ａ…下側アジャスター座、
７Ｂ…上側アジャスター座、Ｃ…キャップ材。
【図１】
2011236576.tif 000003
【図２】
2011236576.tif 000004
【図３】
2011236576.tif 000005
【図４】
2011236576.tif 000006
【図５】
2011236576.tif 000007
【図６】
2011236576.tif 000008
【図７】
2011236576.tif 000009
【図８】
2011236576.tif 000010